(57)【特許請求の範囲】
【請求項１】
上の屋根面と下の屋根面を有し、上の屋根面と下の屋根面はそれらの勾配と直交する方向に並び、上の屋根面と下の屋根面はそれらの勾配を互いに逆方向にしてなり、前記上の屋根面の最下縁部と下の屋根面の最上縁部とを、同一高さにし、かつ一体の梁で支持する屋根ユニット。
【請求項２】
前記梁はトラス梁であることを特徴とする請求項１に記載の屋根ユニット。
【請求項３】
複数の建物ユニットを接合し、各建物ユニットの上に屋根ユニットを搭載してなるユニット建物において、請求項１又は２に記載の屋根ユニットを用いてなるユニット建物。
【発明の詳細な説明】
【０００１】
【発明の属する技術分野】
本発明は屋根ユニット及びユニット建物に関する。
【０００２】
【従来の技術】
従来、ユニット建物にあっては、特公平3-26745号公報に記載の如く、複数の建物ユニットを接合し、各建物ユニットの上に屋根ユニットを搭載している。
【０００３】
【発明が解決しようとする課題】
従来技術において、単一の建物ユニットの上に棟違い屋根を構成するとき、上の屋根面と下の屋根面を別個の屋根ユニットで構成する場合には、それらの屋根面に作用する鉛直荷重や水平荷重を建物ユニットの側に伝えるため、建物ユニットの内側部における両屋根ユニットの境界部の直下にそれらの屋根ユニットを支持する梁や壁を設ける必要がある。このため、建物ユニットの内部の間取りの自由度や開放感を損なう。
【０００４】
本発明の課題は、建物ユニットの上に棟違い屋根を構成するとき、建物ユニットの内部の間取りの自由度や開放感を向上することにある。
【０００５】
【課題を解決するための手段】
請求項１の発明は、上の屋根面と下の屋根面を有し、上の屋根面と下の屋根面はそれらの勾配と直交する方向に並び、上の屋根面と下の屋根面はそれらの勾配を互いに逆方向にしてなり、前記上の屋根面の最下縁部と下の屋根面の最上縁部とを、同一高さにし、かつ一体の梁で支持する屋根ユニットである。
【０００６】
請求項２の発明は、請求項１の発明において更に、前記梁をトラス梁にしたものである。
【０００７】
請求項３の発明は、複数の建物ユニットを接合し、各建物ユニットの上に屋根ユニットを搭載してなるユニット建物において、請求項１又は２に記載の屋根ユニットを用いてなるユニット建物である。
【０００８】
（作用）
請求項１の発明によれば下記（１）の作用がある。
（１）棟違い屋根を構成する屋根ユニットを単一化した。従って、上の屋根面と下の屋根面に作用する鉛直荷重や水平荷重をスムースに建物ユニットの側に伝えることができ、屋根ユニットを支持する梁や壁を建物ユニットの内側部に格別に設ける必要がなく、建物ユニットの内部の間取りの自由度や開放感を向上できる。
【０００９】
さらに請求項１の発明によれば下記（２）の作用がある。
（２）上の屋根面の最下縁部と下の屋根面の最上縁部とを同一高さにし、かつ一体の梁で支持した。従って、上の屋根面と下の屋根面に作用する鉛直荷重や水平荷重は、梁を介して、梁の両側が接続される建物ユニットの両側構造体にスムースに伝わるものとなり、屋根ユニットの構成を簡素にしながらその強度、剛性を確保できる。
【００１０】
請求項３の発明によれば下記（３）の作用がある。
（３）ユニット建物において、単一の建物ユニットの上に棟違い屋根を構成するに際し、上述（１）、（２）を実現できる。
【００１１】
【発明の実施の形態】
図１はユニット建物を示し、（Ａ）は斜視図、（Ｂ）は側面図、図２は建物ユニットと屋根ユニットを示し、（Ａ）は正面側から見た斜視図、（Ｂ）は背面側から見た斜視図、図３は屋根ユニットを示し、（Ａ）は斜視図、（Ｂ）は要部分解図、図４は屋根ユニットを示し、（Ａ）は平面図、（Ｂ）は側面図、図５は屋根ユニットを示し、（Ａ）は正面図、（Ｂ）は背面図である。
【００１２】
ユニット建物１は、図１に示す如く、複数の建物ユニット１０を接合し、各建物ユニット１０の上に屋根ユニット２０を搭載したものである。ユニット建物１にあっては、相隣る建物ユニット１１、１２、１３、１４のうち、建物ユニット１１、１２を建物ユニット１３、１４より短尺とし、長尺の建物ユニット１３、１４の側面を建物ユニット１１、１２より側面より外方に張り出している。そして、建物ユニット１１、１２の上には建物ユニット１１、１２の平面サイズに対応する短尺の屋根ユニット２１、２２を、建物ユニット１３、１４の上には建物ユニット１３、１４の平面サイズに対応する長尺の屋根ユニット２３、２４を搭載している。
【００１３】
屋根ユニット２３は、建物ユニット１３の上で棟違い屋根２を構成するものであり、上の屋根面３１と下の屋根面３２を有し、上の屋根面３１と下の屋根面３２はそれらの勾配と直交する方向に並び、上の屋根面３１と下の屋根面３２はそれらの勾配を互いに逆方向にしている。屋根ユニット２３の上の屋根面３１は、屋根ユニット２１、２２の屋根面２１Ａ、２２Ａと交差し、屋根ユニット２４の屋根面２４Ａと連続する。屋根ユニット２３の下の屋根面３２は、屋根ユニット２４の屋根面２４Ａと交差する。
【００１４】
図２は、建物ユニット１３と屋根ユニット２３を取出して示すものである。建物ユニット１３は、床パネル１３Ａの相対する側縁部に内壁パネル１３Ｂと外壁パネル１３Ｃを、床パネル１３Ａの他の１つの側縁部に外壁パネル１３Ｃと交差する袖壁１３Ｄを備える。
【００１５】
屋根ユニット２３は、図２〜図５（図３（Ｂ）、図４、図５では屋根面の野地板を図示省略している。）に示す如く、正面側で、上の屋根面３１の最下縁部と下の屋根面３２の最上縁部とを同一高さにし、上の屋根面３１と下の屋根面３２を一体のトラス梁３３で支持し、トラス梁３３の両端部を建物ユニット１３の内壁パネル１３Ｂ、外壁パネル１３Ｃに接続する。また、屋根ユニット２３は、背面側で、上の屋根面３１の最上縁部を下の屋根面３２の最下縁部より立上げ、上の屋根面３１をトラス梁３４で支持し、トラス梁３４の両端部を建物ユニット１３の内壁パネル１３Ｂ、袖壁１３Ｄに接続する。
【００１６】
また、屋根ユニット２３は、上の屋根面３１の両側部に小壁３５、３６を備え、下の屋根面３２の外側部に小壁３７を備える。小壁３６の下梁３６Ａはトラス梁３３と袖壁１３Ｄのそれぞれに接続される。小壁３６の受木桟３６Ｂは下の屋根面３２のたる木を釘打ち保持する。
【００１７】
尚、屋根ユニット２３にあっては、下の屋根面３２の軒先部３２Ａの突出寸法が生産工場から建築現場への輸送制限を越えるとき、図３（Ｂ）に示す如く、軒先部３２Ａを分割して建築現場で後付けすることができる。
【００１８】
屋根ユニット２３に作用する荷重の流れは以下の如くになる。
(A)鉛直荷重（図２（Ｂ））
上の屋根面３１に作用する鉛直荷重ＦＡ１は、トラス梁３３から建物ユニット１３の内壁パネル１３Ｂ、外壁パネル１３Ｃに支持されるとともに、トラス梁３４から建物ユニット１３の内壁パネル１３Ｂ、袖壁１３Ｄに支持される。尚、上の屋根面３１の下の屋根面３２寄りの端部では、鉛直荷重ＦＡ２が、小壁３６の下梁３６Ａからトラス梁３３を介して外壁パネル１３Ｃに支持されるとともに、下梁３６Ａから袖壁１３Ｄに支持される。
【００１９】
(B)水平荷重（図１（Ａ））
上の屋根面３１に作用するＸ方向の水平荷重ＦＢのうち、小壁３６に入ってくる外力は、小壁３６に接続されている下の屋根面３２に剪断力を伝え、下の屋根面３２を介して建物ユニット１３の外壁パネル１３Ｃに支持される。
【００２０】
従って、本実施形態によれば以下の作用がある。
（１）棟違い屋根を構成する屋根ユニット２３を単一化した。従って、上の屋根面３１と下の屋根面３２に作用する鉛直荷重や水平荷重をスムースに建物ユニット１３の側に伝えることができ、屋根ユニット２３を支持する梁や壁を建物ユニット１３の内側部に格別に設ける必要がなく、建物ユニット１３の内部の間取りの自由度や開放感を向上できる。
【００２１】
（２）上の屋根面３１の最下縁部と下の屋根面３２の最上縁部とを同一高さにし、かつ一体のトラス梁３３で支持した。従って、上の屋根面３１と下の屋根面３２に作用する鉛直荷重や水平荷重は、トラス梁３３を介して、トラス梁３３の両側が接続される建物ユニット１３の両側構造体（内壁パネル１３Ｂ、外壁パネル１３Ｃ）にスムースに伝わるものとなり、屋根ユニット２３の構成を簡素にしながらその強度、剛性を確保できる。
【００２２】
（３）ユニット建物１において、単一の建物ユニット１３の上に棟違い屋根を構成するに際し、上述（１）、（２）を実現できる。
【００２３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明において、梁はトラス梁に限られず、ラチス梁など他の組立梁や同一断面長尺材からなる梁であっても良い。
【００２４】
【発明の効果】
以上のように本発明によれば、建物ユニットの上に棟違い屋根を構成するとき、建物ユニットの内部の間取りの自由度や開放感を向上することができる。
【図面の簡単な説明】
【図１】図１はユニット建物を示し、（Ａ）は斜視図、（Ｂ）は側面図である。
【図２】図２は建物ユニットと屋根ユニットを示し、（Ａ）は正面側から見た斜視図、（Ｂ）は背面側から見た斜視図である。
【図３】図３は屋根ユニットを示し、（Ａ）は斜視図、（Ｂ）は要部分解図である。
【図４】図４は屋根ユニットを示し、（Ａ）は平面図、（Ｂ）は側面図である。
【図５】図５は屋根ユニットを示し、（Ａ）は正面図、（Ｂ）は背面図である。
【符号の説明】
１  ユニット建物
１３  建物ユニット
２３  屋根ユニット
３１  上の屋根面
３２  下の屋根面
３３  トラス
【図１】
0003730870.tif 000002
【図２】
0003730870.tif 000003
【図３】
0003730870.tif 000004
【図４】
0003730870.tif 000005
【図５】
0003730870.tif 000006